【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
第１の横木および第２の横木と、左リンクアセンブリと、右リンクアセンブリと、および第１の継手を備えるアジリティラダーであって、
前記左リンクアセンブリは、前記第１の横木および前記第２の横木の左端に枢動可能に取り付けられた端部を有し、
前記右リンクアセンブリは、前記第１の横木および前記第２の横木の右端に枢動可能に取り付けられた端部を有し、
前記左リンクアセンブリおよび前記右リンクアセンブリは、それぞれ等しい長さを有する第１のリンクおよび第２のリンクを含み、前記第１のリンクおよび前記第２のリンクは、リンクピボットジョイントで接合され、前記リンクピボットジョイントは前記第１のリンクと前記第２のリンクとの間の角度を１７９度以下に制限し、かつ
前記第１の継手は、前記第１の横木の左端上に配置されるか、または前記アジリティラダーの第１の横木の右端上に配置され、前記第１の継手は第２のアジリティラダー上に配置される第２の継手と連携するように構造的に構成され、少なくとも２つのアジリティラダーの接続および並列使用を有効にし、
前記第２の継手は、前記第１の継手から前記第２のアジリティラダーの第１の横木の反対端上に配置される、
アジリティラダー。
【請求項２】
前記第１の横木および第２の横木は、実質的に前記左リンクアセンブリおよび前記右リンクアセンブリのみにより互いに取り付けられる、請求項１に記載のアジリティラダー。
【請求項３】
前記第１の横木は、前記第１のリンクの前記長さの２倍を超える長さを有する、請求項１に記載のアジリティラダー。
【請求項４】
前記第１の横木および前記第２の横木は実質的に同一である、請求項３に記載のアジリティラダー。
【請求項５】
前記第１のリンクは前記第２のリンク内の弓形スロットの中に延在する弓形突起を有する、請求項１に記載のアジリティラダー。
【請求項６】
前記左リンクアセンブリおよび前記右リンクアセンブリは、前記横木が互いに向かって移動する際に互いに向かって内方に枢動する、請求項４に記載のアジリティラダー。
【請求項７】
前記左リンクアセンブリの前記第１のリンクは、前記第１の横木および前記左リンクアセンブリの前記第２のリンクのみに取り付けられ、前記左リンクアセンブリの前記第２のリンクは、前記第２の横木および前記左リンクアセンブリの前記第１のリンクのみに取り付けられる、請求項６に記載のアジリティラダー。
【請求項８】
前記右リンクアセンブリの前記第１のリンクは、前記第１の横木および前記右リンクアセンブリの前記第２のリンクのみに取り付けられ、前記右リンクアセンブリの前記第２のリンクは、前記第２の横木および前記右リンクアセンブリの前記第１のリンクのみに取り付けられる、請求項７に記載のアジリティラダー。
【請求項９】
前記横木は、前記横木が離間した開姿勢から、前記横木が実質的に互いに接触する潰れ姿勢に移動可能である、請求項１に記載のアジリティラダー。
【請求項１０】
前記第１の継手は、各横木の前記左端に配置され、かつ
前記アジリティラダーは、各横木の前記右端に配置される前記第２の継手を更に備え、かつ前記第１の継手と前記第２の継手は、相補的である、
請求項１に記載のアジリティラダー。
【請求項１１】
第１および第２の横木と、第１の左リンクと、第２の左リンクと、左弓形突起と、第１の右リンクと、第２の右リンクと、右弓形突起とおよび第１の継手を備えるアジリティラダーであって、
前記第１の横木および第２の横木は、それぞれが長さＬ１を有し、
前記第１の左リンクは、前記第１の横木の左端に枢動可能に取り付けられた外端を有し、
前記第２の左リンクは、前記第２の横木の左端に枢動可能に取り付けられた外端を有し、かつ前記第２の左リンクは、左リンクピボットジョイントにおいて前記第１の左リンクの内端に枢動可能に取り付けられた内端を有し、
前記左弓形突起は、前記第２の左リンク内の左弓形スロットの中に突出する前記第１の左リンク上に存在し、
前記第１の右リンクは、前記第１の横木の右端に枢動可能に取り付けられた外端を有し、
前記第２の右リンクは、前記第２の横木の右端に枢動可能に取り付けられた外端を有し、かつ前記第２の右リンクは、右リンクピボットジョイントにおいて前記第１の右リンクの内端に枢動可能に取り付けられた内端を有し、
前記右弓形突起は、前記第２の右リンク内の右弓形スロットの中に突出する前記第１の右リンク上に存在し、全ての前記リンクは、長さＬ２を有し、かつＬ２はＬ１の２分の１未満であり、かつ
前記第１の継手は、前記第１の横木の左端上に配置されるか、または前記アジリティラダーの前記第１の横木の右端上に配置され、前記第１の継手は、第２のアジリティラダー上に配置される第２の継手と連携するように構造的に構成され、少なくとも２つのアジリティラダーの接続および並列使用を有効にし、
前記第２の継手は、前記第１の継手から前記第２のアジリティラダーの第１の横木の反対端上に配置される、
アジリティラダー。
【請求項１２】
前記左弓形スロットの中に突出する前記左弓形突起は、前記第１の左リンクが前記第２の左リンクに平行であり、かつ前記第２の左リンクの上にない位置に、前記第１の左リンクが移動することを防止する、請求項１１に記載のアジリティラダー。
【請求項１３】
前記第１の継手は、バーを備え、前記第２の継手は、前記バーを受けるように構造的に構成されたフックを備える、請求項１に記載のアジリティラダー。
【請求項１４】
前記第１の継手は、１つ以上のスナップ、ピン又は連結タブを備える、
請求項１に記載のアジリティラダー。
【請求項１５】
前記第１の横木および第２の横木は、底面上の畝部の間に配置される実質的に平坦な底面部をそれぞれ備える、
請求項１に記載のアジリティラダー。
【請求項１６】
１つ以上の前記左リンクアセンブリまたは前記右リンクアセンブリは、内方に提供されて三角形を形成することができ、前記三角形は、前記第１および第２の横木により三角形の２つの側面を備える、
請求項１に記載のアジリティラダー。
【請求項１７】
左リンクアセンブリまたは右リンクアセンブリは、互いに独立して作用を提供する、
請求項１に記載のアジリティラダー。
【請求項１８】
前記第１の継手は、バーを備え、かつ前記第２の継手は、前記バーを受けるように構造的に構成されたフックを備える、
請求項１１に記載のアジリティラダー。
【請求項１９】
第１および第２の横木と、左リンクアセンブリと、右リンクアセンブリと、および継手を備えるアジリティラダーであって、
前記第１および第２の横木は、底面上の畝部の間に配置される実質的に平坦な底面部をそれぞれ備え、
前記左リンクアセンブリは、前記第１および第２の横木の左端と枢動可能に取り付けられた端部を有し、
前記右リンクアセンブリは、前記第１および第２の横木の右端と枢動可能に取り付けられた端部を有し、
前記左リンクアセンブリおよび右リンクアセンブリは、等しい長さを有する第１のリンクおよび第２のリンクを備え、前記第１のリンクおよび第２のリンクは、リンクピボットジョイントで接合され、前記リンクピボットジョイントは、前記第１のリンクおよび第２のリンクとの間の角度を１７９度以下に制限し、かつ
前記継手は、前記アジリティラダーの左側または右側に配置され、前記継手は、前記第２のアジリティラダーの反対側に配置される第２の継手と連携するように構造的に構成して、少なくとも２つのアジリティラダーの接続および並列使用を有効にする、
アジリティラダー。